(57)【要約】【課題】端末側からの印刷要求と印刷データの送信処理を簡易な操作で高速に実行することができ、かつ個人情報のセキュリティを確保できるようにする。【解決手段】複合機２からＷｅｂサーバ１にアクセスするための位置情報を、予めＷｅｂサーバ１で二次元コードに変換してＰＣ４に画面表示させ、携帯電話３で撮影してデコードしておく。そして携帯電話３からデコードした位置情報を複合機２に送信することにより、複合機２がＷｅｂサーバ１にアクセスする。そして個人名や会社名等の個人情報は、携帯電話３のアドレス帳に保存しておき、印刷ジョブデータの位置情報とともに赤外線通信を使用して複合機２に送信する。複合機２では、Ｗｅｂサーバ１から取得した印刷ジョブデータと、携帯電話３から送信された個人情報とを合成し、ユーザ所望の印刷データを生成して印刷出力することができる。【選択図】図１
2007293759.tif 000002
【特許請求の範囲】
【請求項１】
印刷ジョブデータを保存し、該印刷ジョブデータの位置を示す印刷ジョブ指定情報を作成するサーバと、
該サーバが作成した前記印刷ジョブ指定情報を表示する情報機器と、
該情報機器で表示された印刷ジョブ指定情報を撮影する撮影手段、及び該撮影手段で撮影した印刷ジョブ指定情報に基づく印刷ジョブデータの位置情報を送信する送信手段を備えた携帯機器と、
該携帯機器から送信された印刷ジョブの位置を示す情報に従って、前記サーバ装置から印刷ジョブデータを取得して印刷出力する印刷装置とを備える印刷システムであって、
前記携帯機器は、個人情報を蓄積する個人情報蓄積手段を備え、前記印刷ジョブデータの位置情報とともに前記個人情報を送信し、
前記印刷装置は、前記印刷ジョブデータと前記個人情報とを合成して印刷することを特徴とする印刷システム。
【請求項２】
印刷ジョブデータを保存し、該印刷ジョブデータの位置を示す印刷ジョブ指定情報を作成するサーバと、
該サーバが作成した前記印刷ジョブ指定情報を表示する情報機器と、
該情報機器で表示された印刷ジョブ指定情報を撮影する撮影手段、及び該撮影手段で撮影した印刷ジョブ指定情報に基づく印刷ジョブデータの位置情報を送信する送信手段を備えた携帯機器と、
該携帯機器から送信された印刷ジョブの位置を示す情報に従って、前記サーバから印刷ジョブデータを取得して印刷出力する印刷装置とを備える印刷システムであって、
前記サーバは、前記印刷ジョブデータに含まれる個人情報を画像データとして保存することを特徴とする印刷システム。
【請求項３】
請求項２に記載の印刷システムにおいて、前記画像データは、ＧＩＦ，ＪＰＧ，ＰＮＧファイルのいずれかの形式で保存されていることを特徴とする印刷システム。
【請求項４】
請求項１または２に記載の印刷システムにおいて、前記携帯機器から前記印刷装置への送信は、赤外線通信により実行することを特徴とする印刷システム。
【請求項５】
請求項１または２に記載の印刷システムにおいて、前記印刷ジョブ指定情報は、前記印刷ジョブの位置を示す情報が二次元コードで表されていることを特徴とする印刷システム。
【請求項６】
請求項１または２に記載の印刷システムにおいて、前記サーバは、前記印刷ジョブデータをＨＴＭＬ形式で保存することを特徴とする印刷システム。
【請求項７】
請求項１に記載の印刷システムにおいて、前記携帯機器はアドレス帳機能を有し、前記個人情報を前記アドレス帳に記憶しておくことを特徴とする印刷システム。
【発明の詳細な説明】
【技術分野】
【０００１】
本発明は、印刷システムに関し、より詳細には、ネットワークを通じた端末側からの要求に応じてサーバ側で所定の処理を実行し、サーバ側から端末側に返送された処理結果を印刷できるように印刷システムに関する。
【背景技術】
【０００２】
ネットワークを通じた端末側からの要求に応じてサーバ側で所定の処理を実行し、サーバ側から端末側に返送された処理結果を表示し、印刷できるようにするシステムやサービスが提供されている。
【０００３】
例えば、特許文献１には、インターネット等の外部ネットワークを介して接続したサーバ・端末間において、個人情報の漏洩を危惧することなく業務処理を行うことができるようにした漏洩防止方式が開示されている。
【０００４】
この漏洩防止方式では、インターネットを介して接続されるサーバ及び端末を用い、端末側からの要求に応じてサーバ側で所定の業務処理を実行すると共に、サーバ側から返送された処理結果を端末側で表示または印刷する。そしてサーバ側には、業務処理に必要な情報が蓄積されるメインデータベースを設け、端末側には、個人情報が蓄積されるローカルデータベースを設ける。そして端末側では、サーバ側から返送された処理結果と、ローカルデータベース内の対応する個人情報とを合成して表示または印刷する。
【０００５】
また特許文献２には、ネットワークを通じてプリント注文を受け付けた画像に付加された音声情報等の付加情報を、写真プリントを利用してユーザが簡単に入手できるようにしたサービスサーバが開示されている。このサービスサーバは、画像についての付加情報を管理し、当該画像をプリントした用紙に付加情報に対応するＱＲコードをプリントさせる。そしてユーザは、そのＱＲコードをカメラ付携帯電話で読取ることで、付加情報にネットアクセスすることがで、サービスサーバで管理されている付加情報を取得し、出力させることができる。
【特許文献１】特開２００２−９９５１１号公報
【特許文献２】特開２００５−１０８２００号公報
【発明の開示】
【発明が解決しようとする課題】
【０００６】
ネットワークを通じた端末側からの要求に応じてサーバ側で所定の処理を実行し、サーバ側から端末側に返送された処理結果を表示し、印刷するようなシステムにおいて、例えば個人情報を含んだ印刷結果が要求される場合がある。
【０００７】
例えば、ネットワークを通じて年賀状の印刷注文を受け付けるシステムでは、年賀状印刷のＷｅｂページに見本のデザインを多数用意し、ユーザがそのＷｅｂページを使用して任意のデザインを選択して、年賀状の作成注文を行うことができる。
【０００８】
このときに個人名や会社名、アドレス等の個人情報をＷｅｂページに入力することにより、これらの個人情報を適宜印字した年賀状を注文することができる。
またサーバ側で、端末側から送信されたユーザ情報をデザインに合成した画像データを作成し、端末側に返信して端末側の印刷装置で印刷可能とすることも考えられる。
【０００９】
しかしながら、このような印刷システムを実現するには、ユーザはＷｅｂページから印刷を指定するために、宛先等に使用する個人情報をＷｅｂページに入力する必要がある。しかしながら、このような場合、Ｗｅｂページに入力した個人情報が流出するというセキュリティ面での不安がある。例えば、Ｗｅｂページをテキストサーチして個人情報を抽出するサーチエンジンなどにより、テキスト化されている個人情報が簡単に流出する恐れがある。
【００１０】
特許文献１の漏洩防止方式では、端末側で個人情報のローカルデータベースを保持しているため、Ｗｅｂを通じて個人情報を送受信することはないが、機密性の低い印刷ジョブの指定と機密性の高い個人情報の指定とを、ユーザが使い慣れた携帯機器によって簡易な操作で実行できるようにした思想については開示されていない。
【００１１】
また特許文献２のサービスサーバでは、サービスサーバで管理されている付加情報をＱＲコードによって取得可能にしているが、基本的に個人情報のセキュリティについては、考えられていない。
【００１２】
本発明は、上述のごとき実情に鑑みてなされたもので、ネットワークを通じた端末側からの要求に応じてサーバ側で所定の処理を実行し、サーバ側から端末側に返送された処理結果を印刷する印刷システムにおいて、端末側からの印刷要求と印刷データの送信処理を簡易な操作で高速に実行することができ、かつ個人情報のセキュリティを確保できるようにした印刷システムを提供することを目的とするものである。
【課題を解決するための手段】
【００１３】
上記課題を解決するために、本発明の第１の技術手段は、印刷ジョブデータを保存し、印刷ジョブデータの位置を示す印刷ジョブ指定情報を作成するサーバと、サーバが作成した印刷ジョブ指定情報を表示する情報機器と、情報機器で表示された印刷ジョブ指定情報を撮影する撮影手段、及び撮影手段で撮影した印刷ジョブ指定情報に基づく印刷ジョブデータの位置情報を送信する送信手段を備えた携帯機器と、携帯機器から送信された印刷ジョブの位置を示す情報に従って、サーバ装置から印刷ジョブデータを取得して印刷出力する印刷装置とを備える印刷システムであって、携帯機器は、個人情報を蓄積する個人情報蓄積手段を備え、印刷ジョブデータの位置情報とともに個人情報を送信し、印刷装置は、印刷ジョブデータと個人情報とを合成して印刷することを特徴としたものである。
【００１４】
第２の技術手段は、印刷ジョブデータを保存し、印刷ジョブデータの位置を示す印刷ジョブ指定情報を作成するサーバと、サーバが作成した印刷ジョブ指定情報を表示する情報機器と、情報機器で表示された印刷ジョブ指定情報を撮影する撮影手段、及び撮影手段で撮影した印刷ジョブ指定情報に基づく印刷ジョブデータの位置情報を送信する送信手段を備えた携帯機器と、携帯機器から送信された印刷ジョブの位置を示す情報に従って、サーバから印刷ジョブデータを取得して印刷出力する印刷装置とを備える印刷システムであって、サーバは、印刷ジョブデータに含まれる個人情報を画像データとして保存することを特徴としたものである。
【００１５】
第３の技術手段は、第２の技術手段において、画像データは、ＧＩＦ，ＪＰＧ，ＰＮＧファイルのいずれかの形式でサーバに保存されていることを特徴としたものである。
【００１６】
第４の技術手段は、第１または第２の技術手段において、携帯機器から印刷装置への送信は、赤外線通信により実行することを特徴としたものである。
【００１７】
第５の技術手段は、第１または第２の技術手段において、印刷ジョブ指定情報は、印刷ジョブの位置を示す情報が二次元コードで表されていることを特徴としたものである。
【００１８】
第６の技術手段は、第１または第２の技術手段において、サーバは、印刷ジョブデータをＨＴＭＬ形式で保存することを特徴としたものである。
【００１９】
第７の技術手段は、第１の技術手段において、携帯機器はアドレス帳機能を有し、個人情報をアドレス帳に記憶しておくことを特徴としたものである。
【発明の効果】
【００２０】
本発明によれば、ネットワークを通じた端末側からの要求に応じてサーバ側で所定の処理を実行し、サーバ側から端末側に返送された処理結果を印刷する印刷システムにおいて、端末側からの印刷要求と印刷データの送信処理を簡易な操作で高速に実行することができ、かつ個人情報のセキュリティを確保することができる。
【００２１】
特にサーバ内のファイルを複合機へ指定する作業と、秘匿すべき個人情報の複合機への転送作業とを、ユーザが使い慣れた携帯端末を用いることによって容易に行うことができ、操作性を向上させることができる。
また例えば年賀状等の画像のように容量が大きく機密性の低い情報はサーバに置いておくことにより、ユーザが携帯端末から転送するデータ量を削減することができる。
【００２２】
また宛先や自分の住所等の個人情報は、ネットワークを介さずに携帯端末から赤外線通信で複合機に転送することにより、個人情報の流出を防ぐことができる。
また宛先や自分の住所等の個人情報を、画像データの形式でサーバに保持させておくことにより、テキストサーチ等のサーチエンジンを用いた個人情報の流出を防ぐことができる。
【発明を実施するための最良の形態】
【００２３】
（実施形態１）
図１は、本発明の印刷システムの実施形態を説明するための図で、図中、１はＷｅｂサーバ、２は複合機、３は携帯電話、４はＰＣ（パソコン）、５は通信ネットワークである。Ｗｅｂサーバ１は本発明のサーバに相当し、ＰＣ４は本発明の情報機器に相当する。また携帯電話３は本発明の携帯機器に相当し、カメラ機能と赤外線通信機能とを備えている。また複合機２は、ファクシミリやプリンタ、複写機等の複数の画像処理機能を備えた複合機であり、本発明の印刷装置に相当する。
【００２４】
通信ネットワーク５にはＷｅｂサーバ１、ＰＣ４、及び複合機２が接続されている。この通信ネットワークは、公衆回線網を用いたインターネットであるが、ＬＡＮやＷＡＮによる通信ネットワークであってもよく、インターネットにＬＡＮやＷＡＮのエリアネットワークを接続するものであってもよい。
【００２５】
Ｗｅｂサーバ１は、通信ネットワーク５に接続されるＰＣ４等の端末装置で閲覧可能なホームページを保持している。そしてＷｅｂサーバ１の記憶装置には、種々の画像データのテンプレートや、ユーザが作成したデータを保存しておくことができる。
【００２６】
ユーザは、ＰＣ４を操作してＷｅｂサーバ１にアクセスし、Ｗｅｂサーバ１が公開しているホームページをＰＣ４の表示画面に表示させる。そしてホームページの操作画面に従って、テンプレートなどを利用しながら印刷ジョブデータを作成することができる。
【００２７】
Ｗｅｂサーバ１では、上記のユーザ操作により作成された印刷ジョブデータを保存して、その印刷ジョブデータの位置を示す印刷ジョブ指定情報を作成する。印刷ジョブデータ指定情報は、例えば印刷ジョブデータにアクセス可能とするためのアドレス情報を指す。そしてその印刷ジョブ指定情報は、ＱＲコード等の二次元コードによりコード化された画像情報として作成される。またＷｅｂサーバ１では、印刷ジョブデータはＨＴＭＬ形式で保存されるものとする。
【００２８】
ＰＣ４では、Ｗｅｂサーバ１により作成された二次元コードによる印刷ジョブ指定情報を画面表示させる。
そしてユーザは、ＰＣ４に画面表示された二次元コードを携帯電話３のカメラ機能を用いて撮影する。携帯電話３では、撮影した二次元コードをデコードして、Ｗｅｂサイトのアドレス情報などの印刷ジョブ指定情報を取得する。
【００２９】
複合機２は、コントローラ部２ａとエンジン部２ｂとを備えていて、コントローラ部２ａからの指示に従ってエンジン部２ｂにて印刷動作を行うことができる。そして複合機２は、通信機能を備えて通信ネットワーク５に接続されている。
【００３０】
次いでユーザは、携帯電話３を携行して複合機２の近くに行き、赤外線通信を使用してデコードした印刷ジョブ指定情報に基づく位置情報を複合機２に送信する。
そして複合機２は、携帯電話３から送信された印刷ジョブデータの位置情報に従ってＷｅｂサーバ１にアクセスし、指定されたアドレスの印刷ジョブデータを取得して印刷出力する。
【００３１】
以上の構成により本発明の印刷システムの実施形態を構成することができるが、例えば携帯電話３は、撮影機能と通信機能とを備えた携帯情報機器であればよく、例えばＰＤＡや通信機能付きのデジタルカメラなどを適用してもよい。また、複合機２としては、少なくともＷｅｂサーバにアクセス可能な通信機能と、印刷ジョブデータを印刷出力可能な印刷装置であれば、本発明の実施形態として適用することができる。
【００３２】
本発明の実施形態に関わる印刷システムは、上記のような構成を使用して、Ｗｅｂサーバ１に保持されている印刷ジョブデータを複合機２に送信させて、複合機２から印刷出力させる。このときに複合機２からＷｅｂサーバ１にアクセスするための位置情報を、予めＷｅｂサーバ１で二次元コードに変換してＰＣ４に画面表示させ、携帯電話３で撮影してデコードしておく。そして携帯電話３からデコードした位置情報を複合機２に送信することにより、複合機２がＷｅｂサーバ１にアクセスすることができる。
【００３３】
このときの本実施形態の特徴として、個人名や会社名等の個人情報は、携帯電話３のアドレス帳に保存しておき、Ｗｅｂサーバ１に保持されている印刷ジョブデータの位置情報とともに、これら個人情報を赤外線通信を使用して複合機２に送信する。複合機２では、Ｗｅｂサーバ１から取得した印刷ジョブデータと、携帯電話３から送信された個人情報とを合成し、ユーザ所望の印刷データを生成して印刷出力することができる。
【００３４】
すなわち本実施形態により、容量が大きく機密性の低い情報はＷｅｂサーバ１に保持させておくことで、ユーザが携帯電話３から送信するデータ量を大幅に削減することができ、また印刷ジョブデータの転送時間を削減することができるようになる。
また個人情報等の機密性の高い情報は、携帯電話３のアドレス帳等に保持しておき、通信ネットワークを使用することなく赤外線通信を利用して携帯電話３から複合機２に直接送信する。これにより個人情報等の機密性の高い情報のセキュリティを確保することができる。
【００３５】
また本実施形態では、ユーザが使い慣れた携帯電話３を使用して、二次元コードによる印刷ジョブ指定情報を撮影し、複合機２に送信することができ、またこのときに携帯電話３のアドレス帳を用いて個人情報を送信することができる。これにより、ユーザは容易に印刷操作を行うことができ、操作性に優れた印刷システムを提供することができるようになる。
【００３６】
なおここで個人情報とは、個人名や個人の住所、電話番号等のみならず、会社名や店舗名、メールアドレスなど、直接／間接を問わず、他の情報と容易に照合することができ、それにより特定の個人を識別することができる情報全般であって、個人情報としてセキュリティを維持すべきレベルの情報を言うものとする。
【００３７】
図２は、本発明の印刷システムにおける印刷ジョブ指定情報の生成・記憶処理の一例を説明するためのフローチャートである。
まずユーザは、ＰＣ４を使用して所定のホームページを閲覧し、そのホームページに用意された画像から任意の画像を選択する（ステップＳ１）。さらに選択した画像に対して好みに応じて編集を加える（ステップＳ２）。Ｗｅｂサーバ１には、各種画像や文字のテンプレートが保存されていて、ユーザはそれらを適宜組み合わせて好みの画像を生成することができる。そして最終の画像をＨＴＭＬ形式でＷｅｂサーバ１に保存させる（ステップＳ３）。
【００３８】
Ｗｅｂサーバ１では、保存したＨＴＭＬに対応したユニークなアドレス（ＵＲＬ等）を生成し、ＱＲコードに変換する（ステップＳ４）。そしてそのＱＲコードをユーザのＰＣ４に表示させる（ステップＳ５）。ユーザは、ＰＣ４の画面上に表示されているＱＲコードを、携帯電話３のカメラで撮影して取り込む（ステップＳ６）。携帯電話３では、ＱＲコードの撮影画像からデコードしたアドレスを記憶しておく。
【００３９】
図３は、本発明の印刷システムにおける印刷処理の一例を説明するためのフローチャートチャートである。
携帯電話３には、上記図２フローに従ってＨＴＭＬデータに対応したアドレスデータが保存されているものとする。
ここでユーザは複合機２の近くに出向き、携帯電話３に記憶しておいたＨＴＭＬのアドレスを赤外線通信機能を用いて複合機２に送信する（ステップＳ１１）。そしてさらに携帯電話３のアドレス帳の中から、宛先として印刷したい宛先情報（宛名、住所など）を指定して複合機２に送信する（ステップＳ１２）。また送信元として印刷したい送信元情報（名前、住所、電話番号、メールアドレスなど）を指定して、複合機２に送信する（ステップＳ１３）。
【００４０】
次に複合機２は、携帯電話３から送信されたアドレスを使用してＷｅｂサーバ１にアクセスして目的のＨＴＭＬデータを取得する。そしてそのＨＴＭＬデータと、携帯電話３から送信された宛先情報や送信元情報の個人情報とを合成して、印刷出力する（ステップＳ１４）。
そして携帯電話３から複数の宛先情報が送信された場合に対応できるように、全ての宛先情報を印刷したかどうかを判別し（ステップＳ１５）、全ての宛先の印刷が終了していなければ、ステップＳ１４に戻ってＨＴＭＬデータと次の個人情報とを合成して印刷する。また全ての宛先情報が印刷されれば、印刷処理を終了する。
【００４１】
図４は、本発明の印刷システムを年賀状印刷サービスに適用した例を説明するための図である。年賀状印刷サービスでは、年賀状印刷のＷｅｂページに見本（ひな形）のデザインを多数用意し、ユーザがそのＷｅｂページを使用して任意のデザインを選択して、年賀状の作成注文を行うことができる。このような年賀状印刷サービスに、本発明の印刷システムを適用することができる。本例では携帯機器として携帯電話３を用い、また印刷ジョブデータの位置情報をＱＲコードで表示するものとする。
【００４２】
まず図４を参照しながら、上記図２及び図３の処理例に対応した年賀状印刷サービスの例について説明する。
まずユーザは、ＰＣ４を使用して年賀状印刷サービスを提供するホームページにアクセスする。ホームページは、例えばコンビニ（コンビニエンスストア）の経営主体が運営しているものとする。
そしてユーザは、ホームページを閲覧し、そのホームページに用意された年賀状のデザインの見本から、任意のデザインを選択し、さらにデザインレイアウトの編集（例えば、色変更、位置変更、大きさ変更）を行う（Ｓ１０１）。
【００４３】
ユーザのデザインレイアウトが終了すると、レイアウトはＷｅｂサーバにＨＴＭＬ形式で保存される。このデザインレイアウトが印刷ジョブデータに含まれる。そしてＷｅｂサーバでは編集済みのデザインデータに対応してユニークなＵＲＬ１１を作成し、そのＵＲＬ１１をＷｅｂページ内にＱＲコード１０で表示する（Ｓ１０２）。
【００４４】
ユーザは、ＰＣ４画面上に表示されているＱＲコード１０を、携帯電話３のカメラで撮影する。携帯電話３では、ＱＲコード１０の撮影画像からデコードしたＵＲＬ１１を記憶しておく。
そしてユーザはコンビニに出向き（Ｓ１０３）、携帯電話３に記憶しておいたＵＲＬ１１を赤外線通信機能を用いて複合機２に送信し、さらに携帯電話３のアドレス帳の中から、宛名として合成したいデータを指定して複合機２に送信する（Ｓ１０４）。
【００４５】
複合機２は、携帯電話３から送信されたＵＲＬを使用してＷｅｂサーバにアクセスし、ＵＲＬ１１に記載されているアドレス情報を用いて目的の年賀状のデザインデータをＷｅｂサーバから取得する。そして取得したデザインデータと、携帯電話３から送信された宛名データとを使用して、表面に宛名が印刷され、裏面にデザインデータが印刷された印刷物１２を印刷出力する（Ｓ１０５）。  
【００４６】
このようにして、ユーザは、Ｗｅｂサーバの編集デザインデータを、携帯電話３を使用して、複合機２から簡単に印刷出力させることができる。そしてこのときに、宛名のような個人情報をネットワークを使用することなく高いセキュリティで複合機２に転送することができ、Ｗｅｂサーバに保持している編集デザインデータと、携帯電話３から転送した個人情報とを簡単に印刷出力させることができる。
【００４７】
（実施形態２）
本実施形態の印刷システムは、個人情報を画像データの形式でＷｅｂサーバに保持させることにより、個人情報のセキュリティレベルを維持できるようにしている。
本実施形態では、図１のような構成を使用して、Ｗｅｂサーバ１に保持されている印刷ジョブデータを複合機２に送信させて、複合機２から印刷出力させる。ここでは実施形態１と同様に、複合機２からＷｅｂサーバ１にアクセスするための位置情報を、予めＷｅｂサーバで二次元コードに変換してＰＣ４に画面表示させ、携帯電話３で撮影してデコードしておく。そして携帯電話３からデコードした位置情報を複合機２に送信することにより、複合機２がＷｅｂサーバ１にアクセスすることができる。
【００４８】
このときの本実施形態の特徴として、個人名や会社名等の個人情報は、携帯電話３のアドレス帳に保持させることなく、ＧＩＦ等の画像データの形式でＷｅｂサーバ１に保存させておく。そして印刷ジョブデータを上記個人情報の画像データを含めたＨＴＭＬ形式で保存しておく。個人情報を画像データとしてＷｅｂサーバ１に保持させておくことにより、テキストサーチなどを行うサーチエンジンが巡回したとしても、個人情報の流出を防ぐことができる。
【００４９】
そして携帯電話３が、印刷ジョブデータの位置情報をデコードして複合機２に送信すると、複合機２がこの印刷ジョブデータを取得して印刷出力を行う。印刷ジョブデータには、個人情報の画像データが含まれているため、所望の印刷出力を得ることができる。
【００５０】
図５は、本発明の印刷システムにおける印刷ジョブ指定情報の生成・記憶処理の他の例を説明するためのフローチャートである。
まずユーザは、ＰＣ４を使用して所定のホームページを閲覧し、そのホームページに用意された画像から任意の画像を選択する（ステップＳ２１）。さらに選択した画像に対して好みに応じて編集を加える（ステップＳ２２）。Ｗｅｂサーバ１には、各種画像や文字のテンプレートが保存されていて、ユーザはそれらを適宜組み合わせて好みの画像を生成することができる。
【００５１】
そしてさらにユーザは、ＰＣ４を使用して生成した画像データに対応する宛先情報（宛名、住所など）をＷｅｂサーバ１に送信する（ステップＳ２３）。ここではＷｅｂサーバ１が公開するホームページの所定欄に宛先情報を書き込むことにより、宛先情報をＷｅｂサーバ１に送信することができる。そしてさらに送信元情報（名前、住所、電話番号、メールアドレスなど）をホームページに書き込んで、Ｗｅｂサーバ１に送信する（ステップＳ２４）。
【００５２】
Ｗｅｂサーバ１では、ＰＣ４から送信された宛先情報や送信元情報の個人情報をＧＩＦ形式の画像データに変換し、Ｗｅｂサーバ１に保存する（ステップＳ２５）。ここではＧＩＦに限らず、ＪＰＧ、ＰＮＧなどの画像データを適宜採用することができる。そしてＷｅｂサーバ１では、ユーザが選択して編集した画像と、ＧＩＦ形式の個人情報とをＨＴＭＬ形式で保存する（ステップＳ２６）。この場合は、ユーザが編集した画像に対して個人情報の画像をリンクさせて所望の印刷画像が得られるデータとしておく。
【００５３】
Ｗｅｂサーバ１では、保存したＨＴＭＬに対応したユニークなアドレス（ＵＲＬ等）を生成し、ＱＲコードに変換する（ステップＳ２７）。そしてそのＱＲコードをユーザのＰＣ４に表示させる（ステップＳ２８）。ユーザは、ＰＣ４の画面上に表示されているＱＲコードを、携帯電話３のカメラで撮影して取り込む（ステップＳ２９）。携帯電話３では、ＱＲコードの撮影画像からデコードしたアドレスを記憶しておく。
【００５４】
図６は、本発明の印刷システムにおける印刷処理の一例を説明するためのフローチャートチャートである。
携帯電話３には、上記図５のフローに従ってＨＴＭＬデータが保存されているものとする。ここでユーザは複合機２の近くに出向き、携帯電話３に記憶しておいたＨＴＭＬのアドレスを赤外線通信機能を用いて複合機２に送信する（ステップＳ３１）。
複合機２は、携帯電話３から送信されたアドレスを使用してＷｅｂサーバ１にアクセスし、目的のＨＴＭＬデータを取得して印刷出力する（ステップＳ３２）。
【００５５】
そして複合機２では、携帯電話３から複数の宛先情報が送信された場合に対応できるように、全ての宛先情報を印刷したかどうかを判別し（ステップＳ３３）、全ての宛先の印刷が終了していなければ、ステップＳ３２に戻ってＨＴＭＬデータと次の個人情報とを合成して印刷する。また全ての宛先情報が印刷されれば、Ｗｅｂサーバ１から取得したデータを消去して（ステップＳ３４）、印刷処理を終了する。
【００５６】
次に上述の図４を参照しながら、上記図５及び図６の処理例に対応した年賀状印刷サービスの例について説明する。
本例の印刷システムでは、個人名や会社名等の個人情報は、携帯電話３ではなく、Ｗｅｂサーバ１に保持させる。このときに、個人情報のセキュリティを維持するために、個人名や会社名等の個人情報をテキストデータではなく、ＧＩＦ等の画像データにより保存する。
【００５７】
まずユーザは、ＰＣ４を使用して年賀状印刷サービスを提供するホームページにアクセスする。ホームページは、例えばコンビニ（コンビニエンスストア）の経営主体が運営しているものとする。
そしてユーザは、ホームページを閲覧し、そのホームページに用意された年賀状のデザインの見本から、任意のデザインを選択し、さらにデザインレイアウトの編集（例えば、色変更、位置変更、大きさ変更）を行う。さらにユーザは、ＰＣ４を使用して、編集した年賀状のデザインレイアウトに対応する宛先情報（宛名、住所など）をＷｅｂサーバ１に送信する（Ｓ１０１）。
【００５８】
ここではＷｅｂサーバが公開するホームページの所定欄に宛先情報を書き込むことにより、宛先情報をＷｅｂサーバに送信することができる。そしてさらに送信元情報（名前、住所、電話番号、メールアドレスなど）をホームページに書き込んで、Ｗｅｂサーバに送信する。
【００５９】
Ｗｅｂサーバでは、ＰＣ４から送信された宛先情報や送信元情報の個人情報をＧＩＦ形式等の画像データに変換し、Ｗｅｂサーバに保存する。そしてＷｅｂサーバでは、ユーザが選択して編集した画像と、個人情報とをＨＴＭＬ形式で保存する。この場合は、ユーザが編集した画像に対して個人情報の画像をリンクさせて所望の印刷画像が得られるデータとしておく。
【００６０】
Ｗｅｂサーバでは、編集済みのデザインデータと個人情報に対応してユニークなＵＲＬ１１を作成し、そのＵＲＬ１１をＷｅｂページ内にＱＲコード１０で表示する（Ｓ１０２）。
ユーザは、パソコン５画面上に表示されているＱＲコード１０を、携帯電話３のカメラで撮影する。携帯電話３では、ＱＲコード１０の撮影画像からデコードしたＵＲＬ１１を記憶しておく。
そしてユーザはコンビニに出向き（Ｓ１０３）、携帯電話３に記憶しておいたＵＲＬ１１を赤外線通信機能を用いて複合機２に送信する（Ｓ１０４）。
【００６１】
複合機２は、携帯電話３から送信されたＵＲＬ１１を使用してＷｅｂサーバにアクセスし、ＵＲＬ１１に記載されているアドレス情報を用いて目的の年賀状のデザインデータをＷｅｂサーバから取得する。取得するデータには、年賀状のデザインデータとともに、宛先情報や送信元情報の個人情報が含まれている。
そして複合機２では、取得したデータに従って、表面に宛名が印刷され、裏面にデザインデータが印刷された印刷物１２を印刷出力する。
【００６２】
このようにして、ユーザは、Ｗｅｂサーバの編集デザインデータを、携帯電話３を使用して、複合機２から簡単に印刷出力させることができる。そしてこのときに、宛名のような個人情報は、画像データでＷｅｂサーバに保持させておくため、テキストサーチなどを行うサーチエンジンが巡回したとしても、個人情報の流出を防ぐことができる。
【図面の簡単な説明】
【００６３】
【図１】本発明の印刷システムの実施形態を説明するための図である。
【図２】本発明の印刷システムにおける印刷ジョブ指定情報の生成・記憶処理の一例を説明するためのフローチャートである。
【図３】本発明の印刷システムにおける印刷処理の一例を説明するためのフローチャートチャートである。
【図４】本発明の印刷システムを年賀状印刷サービスに適用した例を説明するための図である。
【図５】本発明の印刷システムにおける印刷処理の一例を説明するためのフローチャートチャートである。
【図６】本発明の印刷システムにおける印刷処理の一例を説明するためのフローチャートチャートである。
【符号の説明】
【００６４】
１…Ｗｅｂサーバ、２…複合機、２ａ…コントローラ部、２ｂ…エンジン部、３…携帯電話、４…ＰＣ、５…通信ネットワーク、１０…ＱＲコード、１１…ＵＲＬ、１２…印刷物。
【図１】
2007293759.tif 000003
【図２】
2007293759.tif 000004
【図３】
2007293759.tif 000005
【図４】
2007293759.tif 000006
【図５】
2007293759.tif 000007
【図６】
2007293759.tif 000008